(57)【要約】【課題】  蓋体が完全に被せられたことを容易に確認することができる弁当容器を提供する。【解決手段】  弁当容器１は、食品を収納する容器本体２と容器本体の上面に被せられる蓋体とを備える。容器本体２は、その開口縁部の周囲に沿って設けられた鍔部２０を有し、この鍔部２０には外側に向かって僅かに張り出す係合片部２１が設けられている。また、蓋体３には係合片部２１に係合する係合突起部３１が設けられている。容器本体２に蓋体３を被せる過程で係合突起部３１を係合片部２１に弾性係合させることにより、係止音が発生し、蓋体３が容器本体２に完全に被せられたことを知ることができる。【選択図】  図１
0003186362.tif 000002
【実用新案登録請求の範囲】
【請求項１】
食品を収納する容器本体と、前記容器本体の上面に被せられる蓋体とを備えた弁当容器において、
前記容器本体の開口縁部の周囲に沿って設けられた鍔部に外側に向かって僅かに張り出すようにして係合片部を形成し、
前記容器本体の前記係合片部を外側から覆うようにして前記蓋体の天板に対して略直角に延伸させるようにして当該蓋体の周囲に形成された裾部の内側に前記係合片部と係合する係合突起部を形成し、
前記容器本体に前記蓋体を被せて前記係合突起部を前記係合片部に弾性係合させることにより係止音を発生させるようにしたことを特徴とする弁当容器。
【請求項２】
請求項１に記載の弁当容器において、
前記容器本体及び前記蓋体は略四角形状とされ、
前記係合突起部は前記蓋体に形成された前記裾部の４箇所の角部に形成したことを特徴とする弁当容器。
【請求項３】
請求項１又は２に記載の弁当容器において、
前記容器本体の表面の略全面に剥離可能なフィルムを貼付し、
前記容器本体の四隅の角部を円弧状に形成すると共に、いずれか１つの角部の係合片部を互いに直交する当該係合片部の縁辺に沿って延伸させるようにして舌片を形成し、
前記舌片には前記フィルムを剥がすための剥離部を設け、
前記蓋体は、前記舌片を有する前記容器本体の形状に即した形状に形成したことを特徴とする弁当容器。
【請求項４】
請求項３に記載の弁当容器において、
前記容器本体及び前記蓋体はポリスチレン（ＰＳ）によって形成したことを特徴とする弁当容器。
【考案の詳細な説明】
【技術分野】
【０００１】
本考案は、弁当容器に係り、特に、食品を収容する容器本体に蓋体を被せて容器本体と蓋体とを係止させると共にその際に大きな音を発生させることによって蓋体がきちんと被せられたことを容易に確認することができる弁当容器に関する。
【背景技術】
【０００２】
従来、仕出し弁当や給食センターなどで製造される弁当の多くはプラスチック製のリターナブル容器が利用されていた。このようなリターナブル容器の場合、納入先に１日に１日に２回出向く必要があった。すなわち、企業等の昼食用の弁当がリターナブル容器の場合、昼前に配達を行い、そして、昼食後に回収する必要があった。その理由は、リターナブル容器は回収・洗浄して再使用されるが、回収が遅れると容器内に残ったご飯粒やおかずが容器表面にこびり付いてしまい、洗浄が困難となることから、出来るだけ早く回収して洗浄する必要があるからである。このようにリターナブル容器は配達と回収のための手間はかかるが、容器を何回も再使用できるというメリットがあるため利用されている。
【０００３】
一方で、わが国では日々膨大な量の廃棄物が発生しており、一般廃棄物の中でも紙製やプラスチック製のワンウェイ型の容器包装が占める割合は大きく、資源の有効利用及び自然環境の保全を図るためにリサイクルのシステム化が進んでいる。例えば、消費者が廃棄物を分別排出し、これを地方自治体等が分別収集し、再生事業者が再商品化するというシステムが効率良く機能することが望まれている。
【０００４】
弁当等に用いられた使用済みのプラスチック製のワンウェイ容器をリサイクルする場合、予め利用者がごはん粒やおかず等の食品の残りで汚れたワンウェイ容器の内面を洗浄してからリサイクルに出す必要がある。利用者がこの作業を面倒に感じたり、近くに洗える環境が無い場合などには一般ゴミとして廃棄処理されることが多くなり、これらがリサイクルに回されないことで回収効率が低下することになる。
【０００５】
そのため、本願出願人は、合成樹脂製のワンウェイ容器であるトレイ本体の内面にコーティングシートを剥離可能に貼着し、コーティングシート内に内容物を収納した後、包装用容器上面にトップシートを貼着してトレイを被覆すると共に、コーティングシートとトップシートとをトレイ本体から分離できるようにした包装用容器の提案を行った（特許文献１）。この構成により、トレイ本体に食品の汚れが直接付着しないため、シートを剥がすだけでトレイ本体を綺麗な状態でリサイクルすることを可能とした。
【先行技術文献】
【特許文献】
【０００６】
【特許文献１】実用新案登録第３１２６６５８号公報
【考案の概要】
【考案が解決しようとする課題】
【０００７】
上記した特許文献１の包装用容器によって、リサイクル性を飛躍的に高めることができた。しかし、この包装容器をはじめ、上述した従来のリターナブルの弁当容器の蓋は、単に容器本体の上部に乗せられているだけであったので蓋が容易に外れてしまうという問題があった。また、この包装用容器や従来のリターナブルの弁当容器もいずれも本体に蓋が完全に装着された状態となっているか否かを確認する手段が無かった。そのため、蓋の装着を確認するのに手間と時間を要すると共に、中のごはんやおかず類が露出し、容器から飛び出るなどして商品価値を下げるおそれがあった。本体から蓋が外れないようにしようとすれば、粘着テープで止める等の手段が必要となり、これによって弁当等の生産コストが高くなるという問題だけでなく、需要者にはテープを剥がして蓋を開けるという面倒な作業を強いるという問題があった。
【０００８】
従って、本考案の目的は、ワンウェイ型の弁当容器の蓋体が本体に完全に装着されたことを音で確認することができ、これによって容器本体に蓋体が完全に閉じられたことを容易に確認することができる弁当容器を提供することにある。
【０００９】
また、本考案の目的は、回収された弁当容器の容器本体を水や洗剤などで洗浄することなく容器本体内を容易に綺麗な状態することができ、リサイクルの手間を軽減することができる弁当容器を提供することを目的とする。
【課題を解決するための手段】
【００１０】
上記目的を達成するため、請求項１に記載の本考案は、食品を収納する容器本体と、前記容器本体の上面に被せられる蓋体とを備えた弁当容器において、前記容器本体の開口縁部の周囲に沿って設けられた鍔部に外側に向かって僅かに張り出すようにして係合片部を形成し、前記容器本体の前記係合片部を外側から覆うようにして前記蓋体の天板に対して略直角に延伸させるようにして当該蓋体の周囲に形成された裾部の内側に前記係合片部と係合する係合突起部を形成し、前記容器本体に前記蓋体を被せて前記係合突起部を前記係合片部に弾性係合させることにより係止音を発生させるようにしたことを特徴とする。
【００１１】
上記目的を達成するため、請求項２に記載の本考案は、請求項１に記載の弁当容器において、前記容器本体及び前記蓋体は略四角形状とされ、前記係合突起部は前記蓋体に形成された前記裾部の４箇所の角部に形成したことを特徴とする。
【００１２】
上記目的を達成するため、請求項３に記載の本考案は、請求項１又は２に記載の弁当容器において、前記容器本体の表面の略全面に剥離可能なフィルムを貼付し、前記容器本体の四隅の角部を円弧状に形成すると共に、いずれか１つの角部の係合片部を互いに直交する当該係合片部の縁辺に沿って延伸させるようにして舌片を形成し、前記舌片には前記フィルムを剥がすための剥離部を設け、前記蓋体は、前記舌片を有する前記容器本体の形状に即した形状に形成したことを特徴とする。
【００１３】
上記目的を達成するため、請求項４に記載の本考案は、請求項３に記載の弁当容器において、前記容器本体及び前記蓋体はポリスチレン（ＰＳ）によって形成したことを特徴とする。
【考案の効果】
【００１４】
本考案に係る弁当容器によれば、容器本体の開口縁部の周囲に沿って設けられた鍔部に外側に向かって張り出すようにして係合片部を形成し、蓋体には係合片部と係合する係合突起部を形成し、容器本体に蓋体を被せて係合突起部を係合片部に弾性係合させることにより係止音を発生させるようにしたので、容器本体に蓋体がきちんと被せられたことを音で容易に確認することができるという効果がある。
【００１５】
また、本考案に係る弁当容器によれば、蓋体に設けた係合突起部は、容器本体の係合片部を外側から覆うようにして蓋体の天板に対して略直角に延伸させるようにして蓋体の周囲に形成された裾部の内側に形成したので蓋体によって容器本体が外側から包囲するようにして閉じ込むことになり、外部から異物が侵入しにくいという効果がある。特に、調理されて熱いうちに容器本体に食品が詰められると容器内に水滴が生じることがあるがこの水滴が蓋体と本体との接合部分に溜まり難いという効果がある。
【００１６】
また、本考案に係る弁当容器によれば、容器本体内に剥離可能に貼付したフィルムを容易に剥がすことができるような剥離部を舌片に設けたのでフィルムを容易に剥がすことができるという効果がある。そのため、容器本体を水や洗剤で洗浄することなく容易、且つ、短時間でリサイクル可能な状態とすることができるという効果がある。
【００１７】
また、本考案に係る弁当容器によれば、容器本体及び蓋体をポリスチレン（ＰＳ）によって形成したので容器本体に蓋体を被せて係合突起部を係合片部に弾性係合させたときに大きな係止音が発生させることができるという効果がある。また、係合時に確かな感触も伝わるので容器本体に蓋体が確実に閉じられたことが音のみならず感触によっても感じることができるという効果がある。
【図面の簡単な説明】
【００１８】
【図１】本考案に係る弁当容器の構成を示す斜視図である。
【図２】（ａ），（ｂ）は図１に示す弁当容器の本体及び蓋を示す平面図である。
【図３】（ａ），（ｂ）は係合突起部の形状を示す拡大図である。
【図４】（ａ）〜（ｃ）は本体２への蓋体３の装着過程を示す説明図である。
【図５】図１に示す弁当容器を積み重ねた状態の斜視図である。
【図６】仕切を備えた弁当容器の本体及び蓋を示す平面図である。
【考案を実施するための形態】
【００１９】
［弁当容器の構成］
以下、本考案に係る弁当容器について、好ましい一実施形態に基づいて詳細に説明する。図１は本考案に係る弁当容器の構成を示す斜視図である。図示された弁当容器１は、概略として、食品（例えば、ご飯とおかず）が収納される収容部を備えて上面が開口している容器本体（以下、単に「本体」という。）２と、この本体２に上から被せられる蓋体３とを備えて構成されている。図示された本体２には仕切などは設けられていないので、例えば、バランやアルミカップ等で仕切を設けることができる。また、図６に示すように、本体２及び蓋体３に予め仕切を設けた状態で形成することもできる。
【００２０】
そして、本体２及び蓋体３は、例えば。ポリスチレン（ＰＳ）製によって形成されている。本体２及び蓋体３をポリスチレン（ＰＳ）によって形成することで強度も確保することができ、ご飯やおかずを詰めた状態でも変形することなくその形状を維持すると共に、後述するように本体２に蓋体３を係合させた際に大きな係合音を発生させることが可能となる。本体２は、一般に、白色や黒色等の不透明とされ、蓋体３は収納された食品が見えるような透明又は半透明としたり、或いは給食等に使用する場合には不透明とすることも可能であり、特定の色に限定されるものではない。
【００２１】
図２（ａ），（ｂ）は本体及び蓋体を示す平面図である。本体２は、図２（ａ）に示すように、上縁の開口縁部の周囲に沿ってぐるりと鍔部２０が形成されており、さらに鍔部２０は外側に向かって僅か（例えば、２．５ｍｍ）に張り出すようにして係合片部２１が形成されている。また、蓋体３の天板には上方に突出するようにして形成された長方形状の凸部３２が設けられており、本体２の底面には凸部３２に嵌合する長方形の凹部２２が本体２の内側に向かうようにして形成されている。これにより、図５に示すように、多数の弁当を箱等に納める場合に何個かを縦に重ねた場合でも上側の弁当容器の本体２の凹部２２に下側の弁当容器の蓋体３の凸部３２が嵌合するので弁当相互の間の横ずれを生じさせることがない。
【００２２】
さらに、本体２の食品を収納する表面のほぼ全面には剥離可能な図示しないフィルムが貼付されている。このフィルムは弁当を食べ終わった後で本体２から引き剥がすことによって、本体２を洗浄することなくリサイクルに供することを可能とする。そして、図示しないフィルムの剥がし作業を容易にするために、略円弧状に形成された本体２の四隅の角部のうちのいずれか１つの角部の係合片部２１を互いに直交する当該係合片部２１の縁辺に沿って延伸させるようにして舌片２３を形成し、この舌片２３に上記フィルムを剥がすための剥離部２４が設けられている（図１参照）。剥離部２４は上記フィルムの一部が舌片２３部分において接着されていない状態としたものであり、剥離部２４をつまんで引っ張ることで上記フィルムを容易に引き剥がせるようになっている。
【００２３】
蓋体３は、図２（ｂ）に示すように、本体２の鍔部２０及び係合片部２１を外側から覆うように、蓋体３の天板に対して略直角に延伸させるようにして形成された裾部３０を周囲に備えており、裾部３０の４箇所の各角部には係合片部２１と係合する係合突起部３１が内側（本体２側）に向かって突出するように形成されている。係合突起部３１は、図３（ａ），（ｂ）に示すように、裾部３０の角部の曲面に沿った円弧状の凸型形状とされており、本実施形態においては、長さ２５ｍｍ、深さ１ｍｍとしている。
【００２４】
［弁当容器１の使い方］
次に、弁当容器１の使い方及び本体２と蓋体３の係合について説明する。図４（ａ）〜（ｃ）は本体２への蓋体３の装着過程を示す説明図である。まず、使用者は、清潔な本体２とこれにセットにされる蓋体３を用意する。次に、使用者は、献立に従ったごはんやおかず等を本体２内の所定の場所に詰め合わせる。これらの作業が終わったら、使用者は蓋体３を本体２上に図４（ａ）に示すように被せるようにして配置する。
【００２５】
そして、裾部３０を本体２の鍔部２０に合わせるようにしながら蓋体３の角部を押し下げる。蓋体３を押し下げると、図４（ｂ）に示すように、蓋体３の係合突起部３１が本体２の係合片部２１を押し下げて弾性変形し、ついには、図４（ｃ）に示すように、係合片部２１の下側に係合突起部３１が配置される状態となる。
【００２６】
そして、図４（ｂ）の状態から図４（ｃ）に示す状態に移行するとき、すなわち、係合突起部３１と係合片部２１とが弾性係合する際に、係合片部２１が弾かれることによって大きな係止音が発生する。特に、本体２及び蓋体３をポリスチレン（ＰＳ）によって形成しているので大きな音が発生する。この係止音の発生によって、使用者は蓋体３が本体２に完全に被せられたことを認識することができる。また、使用者の手にも係止された際の感触が伝わるのでこれによっても本体２に確実に蓋体３が被せられたことがわかる。
【００２７】
［実施形態の効果］
本実施形態に係る弁当容器によれば、蓋体３が本体２に完全に装着されたことを、作業者が音で確認できるようになるため、蓋体３が本体２に完全に被せられたことを容易に確認することができるという効果がある。特に本体２と蓋体３をポリスチレンによって形成したので大きな音を発生させることができる。また、そのときの感触が使用者の手に伝わるのでこれによっても本体２に確実に蓋体３が被せられたことがわかるという効果がある。
【００２８】
また、本実施形態に係る弁当容器によれば、舌片２３に上記フィルムを剥がすための剥離部２４を設けたので上記フィルムを容易に引き剥がすことができるという効果がある。
【００２９】
以上のように、本考案の好ましい実施形態について詳述したが、本考案は係る特定の実施形態に限定されるものではなく、実用新案登録請求の範囲に記載された本考案の要旨の範囲内において、種々の変形・変更が可能であることはいうまでもない。
【００３０】
例えば、係合突起部３１（内側に凸が形成されるようにする）を本体２側に設け、この係合突起部３１に合致する凸部を蓋体３の裾部３０に設ける構成が考えられる。
【００３１】
容器本体２及び蓋体３は略四角形状としたが、この形状に限定されるものではなく、楕円形状、丸形状、菱形形状等であってもよい。
【符号の説明】
【００３２】
１      弁当容器
２      本体
３      蓋体
２０      鍔部
２１      係合片部
２２      凹部
２３      舌片
２４      剥離部
３０      裾部
３１      係合突起部
３２      凸部
【図１】
0003186362.tif 000003
【図２】
0003186362.tif 000004
【図３】
0003186362.tif 000005
【図４】
0003186362.tif 000006
【図５】
0003186362.tif 000007
【図６】
0003186362.tif 000008